(57)【要約】【課題】比較的大型の照明装置に対しても好適な照明一体型下地構造等を提供する。【解決手段】天井下地材を形成する棒状部材と、天井板と、照明装置と、棒状部材と照明装置とを一体化する金具とを備える、照明一体型下地構造が開示される。例えば、金具は、棒状部材の上部を覆う上板部と、棒状部材の少なくとも一方の側部を覆う側板部と、照明装置の上部を覆うフランジ部とを含む。【選択図】図６
2020090783.tif 000002
【特許請求の範囲】
【請求項１】
天井下地材を形成する棒状部材と、
天井板と、
照明装置と、
前記棒状部材と前記照明装置とを一体化する金具とを備える、照明一体型下地構造。
【請求項２】
前記金具は、前記棒状部材の上部を覆う上板部と、前記棒状部材の少なくとも一方の側部を覆う側板部と、前記照明装置の上部を覆うフランジ部とを含む、請求項１に記載の照明一体型下地構造。
【請求項３】
前記金具は、前記フランジ部が前記照明装置に止着される、請求項２に記載の照明一体型下地構造。
【請求項４】
前記照明装置は、側部から側方に延在する受け部を備え、
前記天井板は、前記受け部上に支持される、請求項１〜３のうちのいずれか１項に記載の照明一体型下地構造。
【請求項５】
前記受け部は、金属製の部材により形成される、請求項４に記載の照明一体型下地構造。
【請求項６】
前記棒状部材は、躯体に支持され、
前記照明装置は、前記躯体に対して直接的に支持されない、請求項１〜５のうちのいずれか１項に記載の照明一体型下地構造。
【請求項７】
前記棒状部材は、野縁、野縁受け、及び母屋材のうちの少なくともいずれか１つを含む、請求項１〜６のうちのいずれか１項に記載の照明一体型下地構造。
【請求項８】
躯体に支持された棒状部材に対し、金具を用いて、照明装置を一体化することで、前記躯体に対して前記棒状部材を介して前記照明装置を支持させることを含む、照明一体型下地構造の形成方法。
【請求項９】
前記照明装置に設けられる受け部に、天井板を支持させることを更に含む、請求項８に記載の照明一体型下地構造の形成方法。
【請求項１０】
天井板を支持する受け部を備える照明装置と、
天井下地材を形成する棒状部材の上部及び少なくとも一方の側部を覆う金具であって、前記棒状部材に照明装置を一体化する金具とを備える、照明装置セット。
【請求項１１】
天井下地材を形成する棒状部材と、
天井板と、
照明装置を、前記棒状部材に一体化する金具とを備える、照明装置支持構造。
【発明の詳細な説明】
【技術分野】
【０００１】
本開示は、照明一体型下地構造、その形成方法、照明装置セット、及び照明装置支持構造に関する。
【背景技術】
【０００２】
発光素子が取り付けられた天井板を野縁に挿入する技術が知られている。
【先行技術文献】
【特許文献】
【０００３】
【特許文献１】特開２０１７−１１５３００号公報
【発明の概要】
【発明が解決しようとする課題】
【０００４】
しかしながら、上記のような従来技術は、発光素子のような比較的小型（軽量）な照明装置を天井板に取り付ける構造に関するものであり、比較的大型の照明装置を支持する構造に適用することが難しい。比較的大型の照明装置は、比較的重量が大きいため、別途吊り材により躯体から吊る必要性が生じる。また、照明装置を配置する箇所に天井下地材（野縁受や野縁）が存在する場合、当該箇所で天井下地材を切断する必要性が生じる。
【０００５】
そこで、１つの側面では、本発明は、比較的大型の照明装置に対しても好適な照明一体型下地構造等を提供することを目的とする。
【課題を解決するための手段】
【０００６】
１つの側面では、以下のような解決手段を提供する。
【０００７】
（１）天井下地材を形成する棒状部材と、
天井板と、
照明装置と、
前記棒状部材と前記照明装置とを一体化する金具とを備える、照明一体型下地構造である。
【０００８】
（２）上記（１）の構成において、前記金具は、前記棒状部材の上部を覆う上板部と、前記棒状部材の少なくとも一方の側部を覆う側板部と、前記照明装置の上部を覆うフランジ部とを含むことを特徴とする。
【０００９】
（３）上記（２）の構成において、前記金具は、前記フランジ部が前記照明装置に止着されることを特徴とする。
【００１０】
（４）上記（１）〜（３）のいずれかの構成において、前記照明装置は、側部から側方に延在する受け部を備え、
前記天井板は、前記受け部上に支持されることを特徴とする。
【００１１】
（５）上記（４）の構成において、前記受け部は、金属製の部材により形成されることを特徴とする。
【００１２】
（６）上記（１）〜（５）のいずれかの構成において、前記棒状部材は、躯体に支持され、
前記照明装置は、前記躯体に対して直接的に支持されないことを特徴とする。
【００１３】
（７）上記（１）〜（６）のいずれかの構成において、前記棒状部材は、野縁、野縁受け、及び母屋材のうちの少なくともいずれか１つを含むことを特徴とする。
【００１４】
（８）躯体に支持された棒状部材に対し、金具を用いて、照明装置を一体化することで、前記躯体に対して前記棒状部材を介して前記照明装置を支持させることを含む、照明一体型下地構造の形成方法である。
【００１５】
（９）上記（８）の構成において、前記照明装置に設けられる受け部に、天井板を支持させることを更に含むことを特徴とする。
【００１６】
（１０）天井板を支持する受け部を備える照明装置と、
天井下地材を形成する棒状部材の上部及び少なくとも一方の側部を覆う金具であって、前記棒状部材に照明装置を一体化する金具とを備える、照明装置セットである。
【００１７】
（１１）天井下地材を形成する棒状部材と、
天井板と、
照明装置を、前記棒状部材に一体化する金具とを備える、照明装置支持構造である。
【発明の効果】
【００１８】
１つの側面では、本発明によれば、比較的大型の照明装置に対しても好適な照明一体型下地構造等を提供することが可能となる。
【図面の簡単な説明】
【００１９】
【図１】一実施例による照明一体型下地構造を示す平面図である。
【図２】野縁の支持構造の一例を示す斜視図である。
【図３】吊り材を通るＸＺ平面に沿った概略的な断面図である。
【図４】照明装置の光源を通る断面による断面図である。
【図５】照明装置及び野縁受けを上方から視た平面図である。
【図６】図５のラインＢ−Ｂに沿った断面図である。
【図７】取付金具の単品状態を示す２面図である。
【図８】比較例を示す斜視図である。
【図９】施工方法の概略的な工程を示す図である。
【図１０】変形例の説明図である。
【発明を実施するための形態】
【００２０】
以下、添付図面を参照しながら各実施例について詳細に説明する。以下の説明において、上下方向は重力方向を基準とする。なお、図１等では、見易さのために、複数存在する同一属性の部位には、一部のみしか参照符号が付されていない場合がある。
【００２１】
図１は、一実施例による照明一体型下地構造１を示す平面図であり、下方から視た平面図である。図２は、野縁１０の支持構造の一例を示す斜視図である。図３は、吊り材８０を通るＸＺ平面に沿った概略的な断面図である。図４は、照明装置４０の光源４３０を通る断面による断面図である。図５は、照明装置４０に係る支持構造の説明図であり、照明装置４０及び野縁受け２０を上方から見た平面図である。図６は、図５のラインＢ−Ｂに沿った断面図である。図７は、取付金具５０の単品状態を示す２面図である。図１等には、直交する２方向（Ｘ方向及びＹ方向）が図示され、図３等には、直交する２方向（Ｘ方向及びＺ方向）が図示されている。
【００２２】
照明一体型下地構造１は、建造物等の躯体（構造躯体）（図示せず）の天井部に設けられる。照明一体型下地構造１は、野縁１０と、野縁受け２０（棒状部材の一例）と、天井板３０と、照明装置４０と、取付金具５０（金具の一例）とを含む。
【００２３】
野縁１０は、天井下地材の一部であり、長尺な部材（棒状の部材）である。野縁１０は、任意の材料により形成されてよく、例えば金属や木材等により形成されてよい。例えば図１に示すように、格子状に配置される。すなわち、野縁１０は、Ｘ方向に平行に延在する野縁１０Ａと、Ｙ方向に平行に延在する野縁１０Ｂとを含む。野縁１０Ａ間のピッチ（Ｙ方向の離間距離）、及び、野縁１０Ｂ間のピッチ（Ｘ方向の離間距離）は、任意であるが、例えば９００ｍｍ程度であってよい。
【００２４】
なお、本実施例では、図１に示すように、照明装置４０が設けられる箇所には、野縁１０Ｂが設けられない。後述するように、照明装置４０は、野縁１０Ｂに代えて、天井板３０を支持する機能を有する。
【００２５】
野縁１０は、例えば、図３に示すように、ハット型の断面形状であり、水平方向（ＸＹ平面内の方向）に延在するフランジ部１１を有する。フランジ部１１には、天井板３０の縁部が載置される。なお、図１では、野縁１０Ａ間ごとに野縁１０Ｂが設けられ、野縁１０Ｂの端部（フランジ部１１を含む）が野縁１０Ａのフランジ部１１上に支持される。
【００２６】
野縁受け２０は、野縁１０と同様、天井下地材の一部であり、長尺な部材（棒状の部材）である。野縁受け２０は、野縁１０と同様、任意の材料により形成されてよく、例えば金属や木材等により形成されてよい。野縁受け２０は、躯体（図示せず）に支持される。野縁受け２０は、図２に示すように、吊り材８０及びハンガー８２により躯体から吊られる。野縁受け２０には、野縁１０が固定される。例えば、野縁受け２０には、ビス等により野縁１０が止着される。なお、変形例では、野縁受け２０には、野縁１０がハンガー（図示せず）を介して吊るされてもよい。
【００２７】
野縁受け２０は、野縁１０Ａ又は野縁１０Ｂに対して設けられ、野縁１０Ａ又は野縁１０Ｂの延在範囲の全体にわたり延在する。本実施例では、野縁受け２０は、Ｙ方向の野縁１０Ｂに対して設けられ、野縁１０Ｂの延在範囲の全体にわたり延在する。
【００２８】
野縁受け２０の断面形状は、野縁受け２０に取付金具５０を取り付けることができる限り、任意であり、例えばＣ字型、Ｈ字型、Ｉ字型等であってよい。本実施例では、一例として、野縁受け２０は、中空の角型の閉断面を有する。なお、変形例では、野縁受け２０は、中実の部材であってもよい。
【００２９】
天井板３０は、野縁１０によって形成される格子状の区画を埋めるように複数設けられる。天井板３０は、基本的には、４方の各辺の縁部が、対応する野縁１０のフランジ部１１上に支持される。天井板３０は、野縁１０のフランジ部１１に対して、ビス等により止着されてよい。なお、変形例では、天井板３０は、野縁１０にビス等により止着されてもよいし、野縁受け２０にビス等により止着されてもよい。なお、後述するように、照明装置４０が設けられる箇所では、天井板３０は、照明装置４０に支持される。
【００３０】
照明装置４０は、光源４３０を有し、光を発生する装置である。光源４３０は、任意であるが、例えばＬＥＤ（Ｌｉｇｈｔ  Ｅｍｉｔｔｉｎｇ  Ｄｉｏｄｅ）である。照明装置４０は、後述するように、野縁受け２０に支持される。従って、照明装置４０は、特定の隣接する野縁１０Ａ間でＹ方向に延在する態様で設けられる。照明装置４０は、Ｙ方向を長手方向とする形態であり、Ｙ方向の長さは、野縁１０Ａ間のピッチ（Ｙ方向の離間距離）に略対応する。従って、照明装置４０は、長手方向の長さが天井板３０の一辺の長さに略等しく、比較的大型の形態である。
【００３１】
図４に示す例では、照明装置４０は、本体４１と、モジュール受け部４２と、ＬＥＤモジュール４３と、入力端子台４４と、拡散パネル４５と、トリム金具６０とを含む。
【００３２】
本体４１は、ケースとして機能し、例えば樹脂等により形成される。本体４１は、Ｙ方向を長手方向とする形態であり、Ｙ方向に延在する。本体４１は、下方が開口するＵ字型の断面（Ｙ方向に視た断面）であり、内部にモジュール受け部４２やＬＥＤモジュール４３を有する。
【００３３】
モジュール受け部４２は、ＬＥＤモジュール４３を支持する。モジュール受け部４２は、本体４１に固定される。例えば、モジュール受け部４２は、リベット９１により本体４１に固定される。モジュール受け部４２は、ＬＥＤモジュール４３のＸ方向の両側の縁部を支持する。モジュール受け部４２は、例えば弾性変形が可能であり、ＬＥＤモジュール４３を支持した状態では、Ｘ方向外側に弾性変形する。この場合、ＬＥＤモジュール４３は、取り外し可能な態様で、モジュール受け部４２に取り付けられることになる。モジュール受け部４２は、１つの本体４１に対して２つ設けられる。ただし、モジュール受け部４２の数は任意である。モジュール受け部４２は、Ｘ方向に離間した２列で、Ｙ方向に延在する。
【００３４】
ＬＥＤモジュール４３は、光源４３０を有する。光源４３０は、例えばＸ方向に離間した２列で組をなし、当該組がＹ方向に離間して複数列をなす。ＬＥＤモジュール４３は、照明装置４０のＹ方向の略全長にわたり設けられる。ＬＥＤモジュール４３は、モジュール受け部４２に対して設けられ、モジュール受け部４２に支持される。
【００３５】
入力端子台４４には、ＬＥＤモジュール４３に電力を供給するための端子等が設けられる。
【００３６】
拡散パネル４５は、本体４１の下側の開口を覆うように設けられる。拡散パネル４５は、光源４３０の光を拡散して透過する。
【００３７】
トリム金具６０は、照明装置４０のＸ方向の両側部（本体４１の側部４１０）にそれぞれ設けられる。トリム金具６０は、Ｙ方向に長尺な部材であり、本体４１のＹ方向の略全長にわたり設けられる。トリム金具６０は、Ｙ方向に視てＴ字型の断面を有し、例えばリベット９２により本体４１の側部４１０に固定される。なお、図４に示す例では、トリム金具６０は、本体４１の側部４１０の下端面がトリム金具６０の角部（Ｔ字状断面の角部）の面に当接する態様で、本体４１に固定される。
【００３８】
トリム金具６０は、本体４１の側部４１０から側方に延在する受け部６２（フランジ部）を形成する。受け部６２は、水平面内（ＸＹ平面）内に延在し、天井板３０を支持する機能を有する。すなわち、受け部６２は、野縁１０のフランジ部１１と同様の機能を有し、照明装置４０が設けられる箇所において野縁１０を不要化する。
【００３９】
また、受け部６２は、好ましくは、野縁１０のフランジ部１１と略同一の平面内（ＸＹ平面）内に延在する。この場合、天井板３０は、トリム金具６０の受け部６２と野縁１０のフランジ部１１とにより略同じ高さで縁部が支持され、見栄えが良好である。
【００４０】
なお、トリム金具６０は、Ｘ方向で本体４１の側部４１０よりも内側（受け部６２の反対側）に延在する部位６３を有し、当該部位６３は、Ｚ方向に視て、拡散パネル４５のＸ方向の縁部に重なる態様で延在する。従って、トリム金具６０は、拡散パネル４５の落下等を防止する機能も有する。
【００４１】
トリム金具６０は、必要な強度・剛性を有する限り、任意の材料により形成されてよい。ただし、トリム金具６０は、好ましくは、金属により形成される。この場合、光源４３０からの光が照明装置４０の側部４１０から漏れ出ることを効果的に抑制できる。
【００４２】
なお、図１では、照明装置４０は１つだけ図示されているが、１つの照明一体型下地構造１に対して複数設けられてよい。以下では特定の１つの照明装置４０の支持構造について説明するが、他の照明装置４０の支持構造についても同様であってよい。
【００４３】
取付金具５０は、野縁受け２０と照明装置４０とを一体化する。取付金具５０は、１つの照明装置４０に対して複数設けられてもよい。図５に示す例では、取付金具５０は、１つの照明装置４０に対して２つ設けられる。
【００４４】
取付金具５０は、図６及び図７に示すように、上板部５１と、側板部５２と、フランジ部５３とを有し、Ｙ方向に視てハット型の断面形状を有する。
【００４５】
上板部５１は、野縁受け２０の上部２１を覆う。上板部５１は、野縁受け２０の上部２１の上側表面に沿う態様で当接する。ただし、上板部５１と上部２１との間には、上下方向で僅かな隙間が設定されてもよい。
【００４６】
側板部５２は、上板部５１のＸ方向の端部から下方かつＹＺ平面内に延在する。側板部５２は、野縁受け２０の両側部２２を覆う。側板部５２は、野縁受け２０の対応する側部２２の外側表面に沿う態様で当接する。ただし、側板部５２と野縁受け２０の対応する側部２２との間には、Ｘ方向で僅かな隙間が設定されてもよい。
【００４７】
フランジ部５３は、各側板部５２の下端から外側かつＸＹ平面内に延在する。照明装置４０の上部（本体４１の上部４１１）を覆う。フランジ部５３は、本体４１の上部４１１の上側表面に沿う態様で当接する。
【００４８】
取付金具５０は、フランジ部５３が照明装置４０に固定される。固定方法は任意であるが、例えばビスやボルト等であってよい。本実施例では、一例として、フランジ部５３は、取付穴５３１を有し、取付穴５３１を通るネジ９４（例えばなべ小ねじ）とナット９５とにより、照明装置４０の本体４１の上部４１１に締結される。なお、図６では、本体４１の上部４１１は、取付金具５０との固定箇所において、補強板７０により補強されている。補強板７０は、本体４１の上部４１１を上下から挟む態様で設けられる。上側の補強板７０は、上下方向で取付金具５０のフランジ部５３と本体４１の上部４１１との間に挟まる態様で設けられる。このような補強板７０を設けることで、本体４１の軽量化を図りつつ、照明装置４０の本体４１における取付金具５０との締結部における必要な強度を確保できる。
【００４９】
なお、本実施例では、取付金具５０は、野縁受け２０に固定されないが、ビスやボルト等により固定されてもよい。例えば、取付金具５０は、上板部５１が野縁受け２０の上部２１に止着されてもよい。
【００５０】
このようにして、本実施例では、取付金具５０が照明装置４０に一体化されるので、照明装置４０は、取付金具５０によって野縁受け２０に実質的に直接的に支持される。この際、照明装置４０の重力は、取付金具５０の上板部５１を介して野縁受け２０の上部２１で受け持たれる。これにより、照明装置４０を別途吊り材（図８の吊り材８８参照）により躯体に吊らなくも、照明装置４０を安定的に支持できる。
【００５１】
次に、図８に示す比較例と対比して、本実施例による照明一体型下地構造１の更なる効果について説明する。
【００５２】
比較例では、照明装置４０Ａは、図８に示すように、野縁受け２０に直接的に支持される構成ではなく、吊り材８８により躯体に吊られる。また、照明装置４０Ａは、野縁１０の延在範囲に延在するため、野縁１０は、照明装置４０Ａの延在範囲（図８の範囲ＳＣ参照）で切断される。
【００５３】
このように、比較例では、照明装置４０Ａを吊り材８８により躯体に吊り、野縁１０に手を加える（切断等）必要がある。
【００５４】
これに対して、本実施例によれば、上述のように、照明装置４０を、吊り材８８のような吊り材で躯体に吊らなくても、野縁受け２０によって安定的に支持できる。また、本実施例によれば、上述のように、照明装置４０の受け部６２が野縁１０のフランジ部１１として機能するので、照明装置４０を野縁１０Ａ間に渡すように設けることで、野縁１０Ｂに手を加える必要性が無くなる。これにより、照明装置４０が設けられる箇所において野縁１０Ｂ自体を省略できることになり、コスト低減を図ることができる。また、照明一体型下地構造１の全体としての軽量化を効果的に図ることができる。
【００５５】
また、本実施例によれば、野縁受け２０に沿って照明装置４０を簡単に取り付けることができる。また、野縁受け２０に沿って照明装置４０が取り付けられるので、見栄えが良好であり、デザインの観点からも有利である。
【００５６】
次に、本実施例による照明一体型下地構造１の形成方法（施工方法）を概略的に説明する。
【００５７】
図９は、施工方法の概略的な工程を示す図である。
【００５８】
ステップＳ９０では、作業者は、野縁１０及び野縁受け２０を組み付ける。すなわち、野縁受け２０を躯体に対して吊るし、野縁受け２０に対して野縁１０を止着する。この際、照明装置４０を配置する箇所では、野縁１０は省略される。
【００５９】
ステップＳ９２では、作業者は、野縁受け２０に対して、取付金具５０を用いて照明装置４０を取り付ける（図６参照）。
【００６０】
ステップＳ９４では、作業者は、照明装置４０のトリム金具６０の受け部６２と、野縁１０のフランジ部１１とに、天井板３０を支持させる。この際、天井板３０はビス等で受け部６２やフランジ部１１に止着されてよい。
【００６１】
このようにして、本実施例によれば、野縁１０等に手を加える必要性がない簡易な工程で、照明一体型下地構造１を形成できる。
【００６２】
なお、上述した実施例においては、照明装置４０と取付金具５０とが照明装置セットの一例を形成する。また、野縁受け２０と天井板３０と取付金具５０とが照明装置支持構造の一例を形成する。
【００６３】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００６４】
例えば、上述した実施例では、取付金具５０は、ハット型の断面形状であるが、Ｚ字型やＬ字型のような他の断面形状であってもよい。例えば、図１０に示す変形例では、取付金具５０に代えて、２つのＬ字型断面の取付金具５０Ａが使用されている。この場合、取付金具５０Ａは、野縁受け２０の側部２２に止着される。また、図示しないが、取付金具５０に代えて、Ｌ字型断面の取付金具５０Ａと、Ｚ字型断面の取付金具（図示せず）との組み合わせが使用されてもよい。この場合、Ｚ字型断面の取付金具は、野縁受け２０の上部２１に止着されてもよいし、Ｌ字型断面の取付金具５０Ａに止着されてもよい。このように、取付金具は、野縁受け２０に照明装置４０をビスやボルト等で一体化できるものであれば任意である。
【００６５】
また、上述した実施例では、天井板３０は、照明装置４０の存在する箇所では、照明装置４０のトリム金具６０の受け部６２に支持され、照明装置４０の存在しない箇所では、野縁１０のフランジ部１１に支持されているが、これに限られない。例えば、天井板３０は、照明装置４０の存在する箇所では、照明装置４０のトリム金具６０の受け部６２に支持され、照明装置４０の存在しない箇所では、野縁受け２０の下部に直接的に止着されてもよい。この場合、照明装置４０の存在しない箇所では、野縁１０は省略されてもよい。
【００６６】
また、上述した実施例では、照明装置４０は、取付金具５０により野縁受け２０に一体化されているが、野縁受け２０に代えて、野縁１０やその類（例えば母屋材）のような、他の棒状部材に一体化されてもよい。
【符号の説明】
【００６７】
１  照明一体型下地構造
１０  野縁
１０Ａ  野縁
１０Ｂ  野縁
１１  フランジ部
２０  野縁受け
２１  上部
２２  側部
３０  天井板
４０  照明装置
４０Ａ  照明装置
４１  本体
４２  モジュール受け部
４３  ＬＥＤモジュール
４４  入力端子台
４５  拡散パネル
５０  取付金具
５０Ａ  取付金具
５１  上板部
５２  側板部
５３  フランジ部
６０  トリム金具
６２  受け部
７０  補強板
８０  吊り材
８２  ハンガー
８８  吊り材
９１  リベット
９２  リベット
９４  ネジ
９５  ナット
４１０  側部
４１１  上部
４３０  光源
５３１  取付穴
【図１】
2020090783.tif 000003
【図２】
2020090783.tif 000004
【図３】
2020090783.tif 000005
【図４】
2020090783.tif 000006
【図５】
2020090783.tif 000007
【図６】
2020090783.tif 000008
【図７】
2020090783.tif 000009
【図８】
2020090783.tif 000010
【図９】
2020090783.tif 000011
【図１０】
2020090783.tif 000012